(57)【特許請求の範囲】
【請求項１】
断熱区画された貯蔵室と、前記貯蔵室内にミストを噴霧させる霧化部と、前記霧化部に電気的に接続された電圧印加部とを有し、前記霧化部は前記貯蔵室内の水分を結露させた水分を前記貯蔵室にミストとして噴霧するものであって、前記貯蔵室の状態を検知して前記霧化部への結露の可否を判定する結露可否判定手段と、前記結露可否判定手段の結果が結露可能ならば前記電圧印加部を動作させ、結果が結露不可ならば前記電圧印加部を停止する制御手段とを有するもので、前記霧化部は、霧化電極と、前記霧化電極に対向する位置に配された対向電極と、前記霧化電極に接続された電極接続部材を有し、前記電極接続部材は霧化電極に比べて５０倍以上の熱容量を有する金属ピンとするとともに、前記結露可否判定手段は、前記霧化電極に液滴がある放電時のみ流れる放電電流の検知で結露水がなくなったことを判断する冷蔵庫。
【請求項２】
霧化電極の付着する水量を調整する調整手段と、前記霧化電極に接続された電極接続部材を有し、前記調整手段によって前記電極接続部材を冷却または加熱することで間接的に前記霧化電極の温度調整を行うこととした請求項１に記載の冷蔵庫。
【請求項３】
調整手段は、冷却手段と加熱手段とを有する請求項２に記載の冷蔵庫。
【請求項４】
冷却手段は冷蔵庫の冷凍サイクルで生成された冷却源であり、前記加熱手段はヒータであることとした請求項３に記載の冷蔵庫。
【請求項５】
冷蔵庫本体は複数の貯蔵室と、前記貯蔵室を冷却するための冷却器を収納する冷却室と、前記冷却室と前記貯蔵室とを断熱区画するための仕切り壁とを有し、前記霧化部は前記冷却室側の仕切り壁に取り付けた請求項１から４のいずれか一項に記載の冷蔵庫。
【請求項６】
貯蔵室と、前記貯蔵室に備えられ基準電位部にアースされた部分と、霧化電極と前記基準電位部にアースされた部分との間に電位差を発生させる電圧印加部を有した請求項１から５のいずれか一項に記載の冷蔵庫。
【発明の詳細な説明】
【技術分野】
【０００１】
本発明は野菜などを収納する貯蔵室空間に霧化装置を設置した冷蔵庫に関するものである。
【背景技術】
【０００２】
従来、この種の鮮度保持に用いる手段として酸性水、オゾン水、次亜塩素酸水などの殺菌性または抗菌性のある処理水を生成し、それを噴霧することで食品の殺菌を行っている（例えば、特許文献１参照）。
【０００３】
図４は、特許文献１に記載された従来の冷蔵庫を示すものである。図４に示すように、野菜室１近傍に設けられたオゾン発生体２、水道直結の水供給経路３、オゾン水供給経路４、排気口５、霧化装置６、水供給経路バルブ７、およびオゾン水供給経路バルブ８から構成されている。
【０００４】
以上のように構成された冷蔵庫について、以下その動作を説明する。
【０００５】
まず、オゾン発生体２より発生したオゾンを水供給経路４から供給される水に接触させオゾン水を生成し、オゾン水供給経路４を通じ、野菜室に導く。野菜室に導かれたオゾン水は霧化装置６の超音波振動により霧化され野菜室１に噴霧される。噴霧されたオゾン水は食品に付着している細菌類を死滅させ増殖するのを防止する。その結果、食品の腐敗を遅らせることができる。水に溶け込まなかった余分なオゾンは、排気口５より排気し、その排気口５にはハニカム状のオゾン分解触媒（例えば酸化マンガンなど）を設置し、オゾンを無害化している。水道水およびオゾン水はそれぞれの経路の水供給経路バルブ７とオゾン水供給経路バルブ８によって必要な量が供給されるよう調整される。
【特許文献１】特開２０００−２２０９４９号公報
【発明の開示】
【発明が解決しようとする課題】
【０００６】
しかしながら、上記従来の構成では、水道水直結の水供給経路などの複雑な構成が必要という課題を有していた。
【０００７】
本発明は、上記従来の課題を解決するもので、簡易な構成で安定した噴霧量の微細なミスト噴霧を行う冷蔵庫を提供することを目的とする。
【課題を解決するための手段】
【０００８】
上記従来の課題を解決するために、本願発明は、断熱区画された貯蔵室と、前記貯蔵室内にミストを噴霧させる霧化部と、前記霧化部に電気的に接続された電圧印加部とを有し、前記霧化部は前記貯蔵室内の水分を結露させた水分を前記貯蔵室にミストとして噴霧するものであって、前記貯蔵室の状態を検知して前記霧化部への結露の可否を判定する結露可否判定手段と、前記結露可否判定手段の結果が結露可能ならば前記電圧印加部を動作させ、結果が結露不可ならば前記電圧印加部を停止する制御手段とを有するもので、前記霧化部は、霧化電極と、前記霧化電極に対向する位置に配された対向電極と、前記霧化電極に接続された電極接続部材を有し、前記電極接続部材は霧化電極に比べて５０倍以上の熱容量を有する金属ピンとするとともに、前記結露可否判定手段は、前記霧化電極に液滴がある放電時のみ流れる放電電流の検知で結露水がなくなったことを判断することにより、貯蔵室内の環境を検知して外気の流入や野菜などの蒸散による水分から結露水を集めることができるときのみ霧化部を動作させることができ、確実に安定した噴霧量のミストの噴霧を行うことができる。
【０００９】
また、結露可能な時のみ動作させることとなるので、霧化部に結露水が発生していない状態で高電圧印加部が動作することを防止することで信頼性の向上と省エネルギーをはかることができる。
【発明の効果】
【００１０】
本発明は、貯蔵室内に安定した噴霧量のミストを噴霧できるとともに、動作時間を短縮することができるため、信頼性が高く消費電力を抑えた使い勝手の良い霧化部を備えた冷蔵庫を提供することが可能となる。
【発明を実施するための最良の形態】
【００１１】
請求項１に記載の発明は、断熱区画された貯蔵室と、前記貯蔵室内にミストを噴霧させる霧化部と、前記霧化部に電気的に接続された電圧印加部とを有し、前記霧化部は前記貯蔵室内の水分を結露させた水分を前記貯蔵室にミストとして噴霧するものであって、前記貯蔵室の状態を検知して前記霧化部への結露の可否を判定する結露可否判定手段と、前記結露可否判定手段の結果が結露可能ならば前記電圧印加部を動作させ、結果が結露不可ならば前記電圧印加部を停止する制御手段とを有するもので、前記霧化部は、霧化電極と、前記霧化電極に対向する位置に配された対向電極と、前記霧化電極に接続された電極接続部材を有し、前記電極接続部材は霧化電極に比べて５０倍以上の熱容量を有する金属ピンとするとともに、前記結露可否判定手段は、前記霧化電極に液滴がある放電時のみ流れる放電電流の検知で結露水がなくなったことを判断することにより、貯蔵室内の環境を検知して外気の流入や野菜などの蒸散による水分から結露水を集めることができるときのみ霧化部を動作させることができ、確実に安定した噴霧量のミストの噴霧を行うことができる。
【００１２】
また、結露可能な時のみ動作させることとなるので、霧化部に結露水が発生していない状態で高電圧印加部が動作することを防止することで信頼性の向上と省エネルギーをはかることができ、貯蔵室内に安定した噴霧量のミストを噴霧できるとともに、動作時間を短縮することができるため、信頼性が高く消費電力を抑えた使い勝手の良い霧化部を備えた冷蔵庫を提供することが可能となる。
【００１６】
請求項２に記載の発明は、請求項１に記載の冷蔵庫に加え、前記霧化電極の付着する水量を調整する調整手段と、前記霧化電極に接続された電極接続部材を有し、前記調整手段によって前記電極接続部材を冷却または加熱することで間接的に前記霧化電極の温度調整を行うこととしたことにより、前記霧化電極を直接冷却することなく、前記電極接続部材を冷却することで間接的に前記霧化電極を冷却することができ、前記電極接続部材が前記霧化電極よりも大きな熱容量を有することで、前記調整手段の温度変化が前記霧化電極に直接大きな影響を与えることを緩和し、霧化電極の温度を調整することができ、霧化電極の負荷変動を抑え、安定した噴霧量のミスト噴霧を実現することができる。
【００１７】
請求項３に記載の発明は、請求項２に記載の発明に加え、前記調整手段は冷却手段と加熱手段を有することにより、容易に霧化電極の温度を調整することができ、前記霧化電極に付着する水量を安定した霧化を実現するための適切な範囲に調整することがより容易に行うことができる。
【００１８】
請求項４に記載の発明は、請求項３に記載の発明に加え、前記冷却手段が冷蔵庫の冷凍サイクルで生成された冷却源であることにより、前記冷却手段として装置および電力を必要としないので、省材料かつ省エネルギーでのミスト噴霧を実現できる。
【００１９】
また、前記加熱手段はヒータであることとしたことにより、前記霧化電極の先端温度の制御を容易に行うことが可能となり、前記霧化電極に結露する液滴の大きさもしくは量を調整することができるので、安定的に噴霧することができ、更に信頼性も向上する。
【００２０】
請求項５に記載の発明は、請求項１から４のいずれか一項に記載の発明に加え、冷蔵庫は複数の貯蔵室と、前記貯蔵室を冷却するための冷却器を収納する冷却室と、前記冷却室と前記貯蔵室とを断熱区画するための仕切り壁とを有し、前記霧化部は前記冷却室側の仕切り壁に取り付けたことにより、冷蔵庫の冷凍サイクルで生成された冷却源を用いて冷却される冷気の中でも最も低温度なる冷却室の冷気もしくは冷気からの熱伝達を利用したパイプ等の部材を冷却手段として用いることができるため、簡単な構造で前記冷却手段を構成することができるので、故障が少なく信頼性が高い前記霧化部を実現することができる。
【００２２】
請求項６に記載の発明は、請求項１から５のいずれか一項に記載の発明に加え、貯蔵室と、前記貯蔵室に備えられ基準電位部にアースされた部分と、霧化電極と前記基準電位部にアースされた部分との間に電位差を発生させる電圧印加部を有したことにより、特に対向電極を持たなくても、貯蔵室側の一部にアースされた部材を備えることで、霧化電極と電位差を発生させて、ミスト噴霧を行うことができ、より簡単な構成で安定的な電界が構成されることにより安定的に前記霧化部からミストを噴霧することができる。
【００２３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２４】
（実施の形態１）
図１は、本発明の実施の形態１における冷蔵庫の縦断面図である。図２は本発明の実施の形態１における冷蔵庫の野菜室近傍の正面図である。図３は図２のＡ−Ａ部の静電霧化装置近傍の詳細断面図である。
【００２５】
図１から３において、冷蔵庫１００の断熱箱体１０１は主に鋼板を用いた外箱１０２とＡＢＳなどの樹脂で成型された内箱１０３で構成され、その内部には例えば硬質発泡ウレタンなどの発泡断熱材が充填されている。これにより、貯蔵室を断熱するのと同時に、複数の貯蔵室に区分されている。冷蔵庫１００の最上部には第一の貯蔵室としての冷蔵室１０４、その冷蔵室１０４の下部に第四の貯蔵室としての切換室１０５と第五の貯蔵室としての製氷室１０６が横並びに設けられ、その切換室１０５と製氷室１０６の下部に第二の貯蔵室としての野菜室１０７、そして最下部に第三の貯蔵室としての冷凍室１０８が構成されている。
【００２６】
冷蔵室１０４は冷蔵保存のために凍らない温度を下限に通常１℃〜５℃とし、野菜室１０７は冷蔵室１０４と同等もしくは若干高い温度設定の２℃〜７℃としている。冷凍室１０８は冷凍温度帯に設定されており、冷凍保存のために通常−２２℃〜−１５℃で設定されているが、冷凍保存状態の向上のために、例えば−３０℃や−２５℃の低温で設定されることもある。切換室１０５は、１℃〜５℃で設定される冷蔵、２℃〜７℃で設定される野菜、通常−２２℃〜−１５℃で設定される冷凍の温度帯以外に、冷蔵温度帯から冷凍温度帯の間で予め設定された温度帯に切り換えることができる。切換室１０５は製氷室１０６に並設された貯蔵室ドアである独立扉を備えた貯蔵室であり、引き出し式の貯蔵室ドアである扉を備えることが多い。なお、本実施の形態では切換室１０５を冷蔵，冷凍の温度帯までを含めた貯蔵室としているが、冷蔵は冷蔵室１０４，野菜室１０７、冷凍は冷凍室１０８に委ねて、冷蔵と冷凍の中間の上記温度帯のみの切り換えに特化した貯蔵室としても構わない。また、特定の温度帯に固定された貯蔵室でもかまわない。製氷室１０６は、冷蔵室１０４内の貯水タンク（図示せず）から送られた水で室内上部に設けられた自動製氷機（図示せず）で氷を作り、室内下部に配置した貯氷容器（図示せず）に貯蔵する。
【００２７】
断熱箱体１０１の天面部は冷蔵庫の背面方向に向かって階段状に凹みを設けた形状であり、この階段状の凹部に機械室を形成して圧縮機１０９、水分除去を行うドライヤ（図示せず）等の冷凍サイクルの高圧側構成部品が収容されている。すなわち、圧縮機１０９を配設する機械室は、冷蔵室１０４内の最上部の後方領域に食い込んで形成されることになる。手が届きにくくデッドスペースとなっていた断熱箱体１０１の最上部の貯蔵室後方領域に機械室を設けて圧縮機１０９を配置することにより、従来の冷蔵庫で、使用者が使いやすい断熱箱体１０１の最下部にあった機械室のスペースを貯蔵室容量として有効に転化することができ、収納性や使い勝手を大きく改善することができる。なお、本実施の形態における、以下に述べる発明の要部に関する事項は、従来一般的であった断熱箱体１０１の最下部の貯蔵室後方領域に機械室を設けて圧縮機１０９を配置するタイプの冷蔵庫に適用しても構わない。
【００２８】
野菜室１０７と冷凍室１０８の背面には冷気を生成する冷却室１１０が設けられ、その間には、断熱性を有する各室への冷気の搬送風路と、各室と断熱区画するための断熱材で構成された奥面仕切り壁１１１が備えられている。冷却室１１０内には、冷却器１１２が配設されており、冷却器１１２の上部空間には強制対流方式により冷却器１１２で生成した冷気を冷蔵室１０４、切換室１０５、製氷室１０６、野菜室１０７、冷凍室１０８に送風する冷却ファン１１３が配置され、冷却器１１２の下部空間には冷却時に冷却器１１２やその周辺に付着する霜や氷を除霜するためのガラス管製のラジアントヒータ１１４が設けられ、さらにその下部には除霜時に生じる除霜水を受けるためのドレンパン１１５、その最深部から庫外に貫通したドレンチューブ１１６が構成され、その下流側の庫外に蒸発皿１１７が構成されている。
【００２９】
野菜室１０７には、野菜室１０７の貯蔵室ドアである引き出し式の扉１１８に取り付けられたフレームに載置された下段収納容器１１９と、下段収納容器１１９に載置された上段収納容器１２０が配置されている。
【００３０】
引き出し式の扉１１８が閉ざされた状態で主に上段収納容器１２０を略密閉するための蓋体１２２が野菜室上部の第一の仕切壁１２３及び内箱１０３に保持されている。引き出し式の扉１１８が閉ざされた状態で蓋体１２２と上段収納容器１２０の上面の左右辺、奥辺が密接し、上面の前辺は略密接している。さらに、上段収納容器１２０の背面の左右下辺と下段収納容器１１９の境界部は、上段収納容器１２０が稼働する上で接触しない範囲で食品収納部の湿気が逃げないよう隙を詰めている。
【００３１】
蓋体１２２と第一の仕切り壁１２３の間には、奥面仕切り壁１１１に構成された野菜室用吐出口１２４から吐出された冷気の風路が設けられている。また、下段収納容器１１９と第二の仕切り壁１２５との間にも空間が設けられ冷気風路を構成している。野菜室１０７の背面の奥面仕切り壁１１１の下部には、野菜室１０７内を冷却し熱交換された冷気が冷却器１１２に戻るための野菜室用吸込口１２６が設けられている。
【００３２】
なお、本実施の形態における、以下に述べる発明の要部に関する事項は、従来一般的であった扉に取り付けられたフレームと内箱に設けられたレールにより開閉するタイプの冷蔵庫に適用しても構わない。また、蓋体１２２、野菜室吐出口、吸い込み口、風路構成については、収納容器の形態によりそれらは最適化される。
【００３３】
奥面仕切り壁１１１は、主にＡＢＳなどの樹脂を用いた奥面仕切り部表面１２７と発泡スチロールなどを用い、各室へ冷気を循環するための風路と、冷却室１１０と野菜室１０７の間を隔離、断熱性を確保する断熱材１２８で構成されている。ここで、奥面仕切り壁１１１の貯蔵室内側の壁面の一部に他の箇所より低温になるように凹部１１１ａを設け、その箇所に静電霧化装置１３０が設置されている。
【００３４】
静電霧化装置１３０は主に霧化部１３１、電圧印加部１３２、外郭ケース１３３で構成され、外郭ケース１３３の一部には、噴霧口１３４と湿度供給口１３５が構成されている。霧化部１３１は、霧化電極１３６が設置され、霧化電極１３６はアルミニウムやステンレス、真鍮などの良熱伝導部材からなる電極接続部材である金属ピン１３７に固定され、電気的にも電圧印加部から配線されている一端を含め接続している。
【００３５】
また、金属ピン１３７の背面は断熱材１２８で構成された冷凍室吐出風路１３８となっており、この冷凍室吐出風路１３８が金属ピン１３７の冷却手段となっている。
【００３６】
この電極接続部材である金属ピン１３７は霧化電極１３６に比べて５０倍以上、好ましくは１００倍以上の大きな熱容量を有するものであり、アルミや銅などの高熱伝導部材が好ましく、金属ピン１３７の一端からもう一端に冷熱を熱伝導で効率よく伝導させるため、その周囲は断熱部材で覆われていることが望ましい。
【００３７】
また、長期的に霧化電極１３６と金属ピン１３７の熱伝導の維持も必要であるので、接続部に湿度等の侵入を防止するためにエポキシ部材などを流しこみ、熱抵抗を抑え、さらに、霧化電極１３６と金属ピン１３７を固定する。また、熱抵抗を低下させるために霧化電極１３６を金属ピン１３７に圧入等により固定してもよい。
【００３８】
さらに、金属ピン１３７は、貯蔵室と冷却器１１２もしくは風路を断熱するための断熱材内で冷温を熱伝導させる必要があるので、その長さは５ｍｍ以上好ましくは１０ｍｍ以上確保することが望ましい。ただし、その長さを３０ｍｍ以上にした場合は、その効果は低下する。
【００３９】
なお、貯蔵室に設置された静電霧化装置１３０が高湿環境下にあり、その湿度が金属ピン１３７に影響する可能性があるので、金属ピン１３７は耐腐食性、耐錆性の性能を持った金属材料、もしくはアルマイト処理などの表面処理、コーティングを行った材料を選択したほうが好ましく、本実施の形態においてもアルマイト処理を行っているものとする。
【００４０】
金属ピン１３７は外郭ケース１３３に固定され、金属ピン１３７自体は外郭ケース１３３から突起して構成されている。また、霧化電極１３６に対向している位置で貯蔵室側にドーナツ円盤状の対向電極１３９が、霧化電極１３６の先端と一定距離を保つように取付けられ、その延長上に噴霧口１３４が構成されている。
【００４１】
霧化電極１３６近傍では、ミスト噴霧のため、放電が常に起こるため、霧化電極１３６先端では、磨耗を生じる可能性がある。冷蔵庫１００は、１０年以上運転することになるので、霧化電極１３６の表面は、部品交換減少させメンテナンス性を向上するため強靭な表面処理を行うことが望ましく、例えば、ニッケルメッキ、および金メッキや白金メッキを用いることでとくに強靭となる。本実施の形態においては金メッキを施したものとする。
【００４２】
さらに、霧化部１３１の近傍に電圧印加部１３２が構成され、高電圧を発生する電圧印加部１３２の負電位側が霧化電極１３６と、正電位側が対向電極１３９とそれぞれ電気的に接続されている。
【００４３】
対向電極１３９は、例えば、ステンレスで構成されていて、同様に、その長期信頼性を確保することが望まれており、特に異物付着防止、汚れ防止するため、例えば白金メッキなどの表面処理が特に優れている。
【００４４】
電圧印加部１３２は、第一の仕切り壁１２３と貯蔵室ドアである扉１１８の接触部分に設けたドアの開閉を検知し、電気信号を出力するドアスイッチ１４０の信号を取得した冷蔵庫本体の制御手段１４６によって高電圧印加のＯＮ／ＯＦＦを行う。
【００４５】
このドアスイッチ１４０は機械式、非接触式などあり、機械式は構造を単純かつ安価に構成ができ、非接触式は機械構造ではないため信頼性を高めることができる。
【００４６】
また、ドアスイッチ１４０はドアの閉め忘れによるドアの開放状態が継続した場合などに、使用者に対して音などを用いて報知するための検知手段と併用することができ、大きなコストアップとはならない。
【００４７】
さらに、静電霧化装置１３０を固定している奥面仕切り表面１２７と断熱材１２８の間には、貯蔵室の温度調節をする、もしくは表面の結露を防止するための仕切り壁ヒータ１５４が設置されている。さらに静電霧化装置１３０に備えられた電極接続部材である金属ピン１３７の温度調整と、霧化電極１３６を含めた周辺部の過剰結露を防止するための金属ピンヒータ１５８が霧化部１３１近傍に設置されている。
【００４８】
また、このように断熱材１２８は熱緩和部材として金属ピン１３７の少なくとも冷却手段側を覆っているが、金属ピン１３７の表面全体をほぼ覆うことが望ましく、この場合には金属ピン１３７の長手方向と直交する横方向のからの熱侵入が少なくなり、冷却手段である冷凍室吐出風路１３８から霧化電極１３６に向かって熱伝達が行われる為、金属ピン１３７の中でも霧化電極１３６から最も遠い端部側から調整手段によって冷却されることとなる。
【００４９】
以上のように構成された冷蔵庫について、以下その動作、作用を説明する。
【００５０】
まず、冷凍サイクルの動作について説明する。庫内の設定された温度に応じて制御手段１４６からの信号により冷凍サイクルが動作して冷却運転が行われる。冷凍サイクルは圧縮機１０９、凝縮器（図示せず）、膨張手段であるキャピラリ、冷却器１１２とを有した管状の経路を有し、内部に冷媒が流れている。圧縮機１０９の動作により吐出された高温高圧の冷媒は、凝縮器（図示せず）である程度凝縮液化し、さらに冷蔵庫本体の側面や背面、また冷蔵庫本体の前面間口に配設された冷媒配管（図示せず）などを経由し冷蔵庫本体の結露を防止しながら凝縮液化し、キャピラリ（図示せず）に至る。その後、キャピラリでは圧縮機１０９への吸入管（図示せず）と熱交換しながら減圧されて低温低圧の液冷媒となって冷却器１１２に至る。ここで、低温低圧の液冷媒は、冷却ファン１１３の動作により各貯蔵室内の空気と熱交換され、冷却器１１２内の冷媒は蒸発気化する。この時、冷却室１１０で各貯蔵室を冷却するための冷気を生成する。低温冷気は冷却ファン１１３から冷蔵室１０４、切換室１０５、製氷室１０６、野菜室１０７、冷凍室１０８に冷気を風路やダンパを用いて分流させ、それぞれの目的温度帯に冷却する。特に、野菜室１０７は、冷蔵室１０４を冷却した後、その空気を冷却器１１２に循環させるための冷蔵室戻り風路の途中に構成された野菜室用吐出口１２４から野菜室１０７に吐出し、上段収納容器１２０や下段収納容器１１９の外周に流し間接的に冷却し、その後、野菜室用吸込口１２６から再び冷却器１１２に戻る循環風路になっている。また、野菜室１０７の温度制御については、冷気の配分や仕切り壁に備えられた仕切り壁ヒータ１５４などのＯＮ／ＯＦＦ運転で行っており、これらの制御により２℃から７℃になるように調整されている。なお、一般的には庫内温度検知手段をもたないものが多い。
【００５１】
野菜室１０７の奥面に設置されている奥面仕切り壁１１１には、凹部が構成され、この箇所に静電霧化装置１３０が取り付けられている。ここで、霧化部１３１である金属ピン１３７の後方はさらに凹部があり、断熱材の厚みは例えば２ｍｍ〜１０ｍｍ程度で構成され、他の箇所より低温状態になる。本実施の形態の冷蔵庫においては、この程度の厚みが金属ピンと調整手段との間に位置する熱緩和部材としての適切なものとなる。これにより、奥面仕切り壁１１１は凹部１１１ａが構成され、この箇所に最背面に金属ピン１３７の凸部１３３ａが突出した形状の静電霧化装置１３０が嵌めこまれて、取り付けられている。
【００５２】
金属ピン１３７背面の冷凍室吐出風路１３８には、冷凍サイクルの運転により冷却器１１２で冷気が生成され、冷却ファン１１３により−１５〜−２５℃程度の冷気が吐出、風路表面から熱伝導で金属ピン１３７が０〜−６℃程度に冷却される。このとき、金属ピン１３７は、良熱伝導部材であるため、冷熱を非常に伝えやすく、金属ピン１３７に固定された霧化電極１３６も金属ピン１３７を介して０〜−６℃程度に冷却される。
【００５３】
ここで、扉１１８の開閉を行うと、野菜室１０７に暖気が流入し、野菜室１０７の温度上昇とともに、湿度が上昇する。これにより、霧化電極１３６は露点以下となり、先端を含め、霧化電極１３６には水が生成され、水滴が付着する。
【００５４】
制御手段１４６は扉１１８が閉められた事をドアスイッチ１４０からの信号によって検知すると、水滴が付着した霧化電極１３６に負電圧、対向電極１３９を正電圧側として、電圧印加部１３２に信号を送り、電極間に高電圧（例えば４〜１０ｋＶ）を印加させる。このとき電極間でコロナ放電が起こり、霧化電極１３６の先端の水滴が、静電エネルギーにより微細化され、さらに液滴が帯電しているためレイリー分裂により数ｎｍレベルの目視できない電荷をもったナノレベルの微細ミストと、それに付随してオゾンやＯＨラジカルなどが発生する。なお、電極間に印加する電圧は、４〜１０ｋＶと非常に高電圧であるが、そのときの放電電流値は数μＡ、入力としては０．５〜１．５Ｗと非常に低入力であるため庫内温度への影響は微小である。
【００５５】
具体的には、霧化電極１３６を基準電位側（０Ｖ）、対向電極１３９を高電圧側（＋７ｋＶ）とすると霧化電極１３６先端に付着した結露水により、対向電極１３９の距離が接近し、これにより空気絶縁層が破壊され、放電が開始する。このとき結露水は帯電し、また、液滴表面において、表面に発生した静電気力は表面張力を超え、微細な粒子が発生する。さらに対向電極１３９がプラス側のため、帯電した微細ミストは引き寄せられ、微細粒子がさらにレイリー分裂により超微粒化され、ラジカルを含んだ数ｎｍレベルの目視できない電荷をもったナノレベルの微細ミストが対向電極１３９に引き寄せられ、その慣性力により、貯蔵室に向けて、微細ミストが噴霧される。
【００５６】
なお、霧化電極１３６から微細ミストが噴霧されるとき、イオン風が発生する。このとき、湿度供給口１３５より、新たに高湿な空気が霧化部１３１に流入するため、連続して噴霧することができる。
【００５７】
発生した微細ミストは、下段収納容器１１９内に噴霧されるが非常に小さい微粒子のため拡散性が強く、上段収納容器１２０にも微細ミストは到達する。噴霧される微細ミストは、高圧放電で生成するため、マイナスの電荷を帯びている。野菜室１０７内には青果物である野菜の中でも緑の菜っ葉ものや果物等も保存されており、これらの青果物は蒸散あるいは保存中の蒸散によってプラスの電荷をもつ。よって、霧化されたミストは、野菜の表面に集まりやすく、野菜表面に付着したナノレベルの微細ミストは、ＯＨラジカルなどのラジカルと微量ではあるがオゾンなどを多く含んでおり、殺菌、抗菌、除菌などに効果がある。さらに、酸化分解による農薬除去や抗酸化によるビタミンＣ量などの栄養素の増加を野菜に促す。
【００５８】
また、扉１１８を閉じ、野菜室１０７に微細ミストが行き渡り野菜への付着・吸収や、野菜室１０７の温度を目的温度にするための冷却器１１２により冷却された低湿度の風の流入などにより、徐々に湿度が低下していき、霧化電極１３６が結露しない状態が発生する。
【００５９】
この結露しない状態のとき、省エネルギーのために電圧印加部１３２への通電を停止する。通電を停止する判定方法としては、湿度センサ等を用い湿度により結露可能かを判断する方法、霧化電極１３６に液滴がある放電時のみ流れる電流の有無で結露水がなくなったことを判断する方法、所定時間の経過で判断する方法などがある。放電電流の有無は結露水がなくなったことを確実に判定できるためより安定した霧化を実現でき、所定時間の経過による判断では、制御手段１４６を実現するものとして一般的なマイコンの標準的な機能であるタイマを用いることで、新たな構成が必要なく省材料での実現が可能となる。
【００６０】
放電電流の検知方法としては、電流センサを用いたり、電流経路に抵抗を設け、その抵抗の両端の電圧を測定するなどがある。これらの値はアナログもしくはデジタルの値どちらでも構わず、アナログであれば値の変化の仕方から動作を決定できるため、より精度よく制御でき、デジタルであれば閾値を設け、閾値を超えたかどうかで霧化を停止すればよく、より単純な制御となる。また、この閾値には一般的にヒステリシスが設けられノイズには反応しないように設定される。
【００６１】
放電電流を検知する方法であれば、金属ピン１３３に水滴が付着したことも検知可能となるが、常時通電では消費電力が大きくなるため、結露可否判定手段であるドアスイッチ１４０からの信号が結露可能であるときから、放電電流を検知する。
【００６２】
また、冷蔵庫１００の実使用状態を考慮したとき、使用される環境、開閉動作、食品収納状態により、野菜室１０７の湿度状況、加湿量は変化するので霧化電極１３６に結露する量が過剰になることも想定でき、場合によれば、霧化電極１３６全体を覆うほどの液滴になり、放電による静電気力が表面張力を勝ることができず、霧化できない可能性がある。
【００６３】
過剰結露を検知は、湿度センサを用い霧化動作を行っている際の湿度の状態を検知し、湿度が所定値以上で湿度の上昇が無い場合に過剰結露と判定する方法や、定期的に結露の有無を放電電流の検知などで判定し、扉１１８を開いたときに結露しているかを判定し、結露していれば過剰結露として判定する方法などがある。
【００６４】
このとき金属ピンヒータ１５８を通電することにより霧化電極１３６を加熱することにより、付着している水滴の蒸発を促進させ、過剰結露を防止し、継続的・安定的に霧化を行うことができる。
【００６５】
また、過剰結露を検知しない場合に金属ピンヒータ１５８を通電しながら過剰結露した状態であっても霧化動作させ、霧化されなくなった時点で金属ピンヒータ１５８の通電を停止することで、過剰結露の状態から蒸散が促進され、短時間で霧化可能な状態に遷移する。結露水が無くなり、霧化が不可能な状態を放電電流などの検知で、金属ピンヒータを停止することで、金属ピンの温度上昇を低く抑えられ、霧化状態にすばやく復帰できる。
【００６６】
また、タイマにより霧化時間を決定するものに関しても、金属ピンヒータを所定時間１だけ通電し過剰結露していたとしても過剰結露が解消させ、所定時間１経過後に所定時間２の間に霧化動作せず結露するのを待ち、所定時間２の経過後に霧化動作を所定時間３の間だけ行うなどで、過剰結露を検知することなく安定した霧化を行うことができる。
【００６７】
このように、霧化電極１３６を直接冷却もしくは加熱することなく、電極接続部材である金属ピン１３７を冷却もしくは加熱することで間接的に霧化電極１３６の温度調節をすることができ、電極接続部材１３３が霧化電極１３６よりも大きな熱容量を有することで、調節手段の温度変化が霧化電極に直接的に大きな影響を与えることを緩和し、霧化電極の温度を調整することができ、霧化電極の負荷変動を抑え、安定した噴霧量のミスト噴霧を実現することができる。
【００６８】
また、霧化電極１３６に対向する位置に配された対向電極１３９とを備え、霧化電極１３６と対向電極１３９間に高圧電位差を発生させる電圧印加部１３２を有することで、霧化電極１３６近傍の電界が安定に構築できることによって微粒化現象、噴霧方向が定まり、収納容器内に噴霧する微細ミストの精度をより高めることができ、霧化部１３１の精度を向上させることができ、信頼性の高い静電霧化装置１３０置を提供することができる。
【００６９】
さらに、電極接続部材である金属ピン１３７は熱緩和部材を介して冷却もしくは加温されるので、上記のように霧化電極１３６を金属ピン１３７で間接的に温度を変化させるものにさらに、熱緩和部材である断熱材１２８を介して二重構造で間接的に温度を変化させることができ、霧化電極１３６が極度に冷却もしくは加温されることを防ぐことができる。霧化電極１３６が極度に冷却されると、それに伴い結露量が多大となり霧化部１３１の負荷の増大による静電霧化装置１３０への入力の増大および霧化部１３１の霧化不良が懸念されるが、こういった霧化部１３１の負荷増大による不具合を防ぐことができ、適切な結露量を確保することができ、低入力で安定的なミスト噴霧を実現することができる。
【００７０】
また、霧化電極１３６が極度に加熱されると、電圧印加部および霧化部周辺の貯蔵室温度が急激に上がり、電気部品の故障や収納物の温度上昇による冷却不良等の不具合が発生するが、こういった霧化部１３１の温度上昇による不具合を防ぐことができ、適切な結露量を確保することができ、低入力で安定的なミスト噴霧を実現することができる。
【００７１】
また、霧化電極１３６を電極接続部材と熱緩和部材とを介して二重構造で間接的に温度調節することで、調節手段の温度変化が霧化電極に直接的に大きな影響を与えることをさらに緩和することができるので、霧化電極の負荷変動を抑え、安定した噴霧量のミスト噴霧を実現することができる。
【００７２】
また、霧化部が取り付けられている奥面仕切り壁１１１は、貯蔵室側の一部に凹部１１１ａがあり、この凹部１１１ａに凸部１３３ａを有した霧化部が挿入されることによって、熱緩和部材として貯蔵室の仕切り壁を構成する断熱材１２８を用いることができ、特別な熱緩和部材を備えることなく断熱材の厚みを調整することで霧化電極が適度に冷却されるような熱緩和部材を備えることができ、霧化部１３１をより簡単な構成にすることができる。
【００７３】
また、凹部１１１ａに霧化部１３１および凸部１３３ａを有する金属ピン１３７を挿入することで、霧化部をガタツキなく確実に仕切り壁に取り付けることができると共に、貯蔵室である野菜室１０７側への出っ張りを抑えることができ、人の手にも触れにくいので安全性を向上させることができる。
【００７４】
また、貯蔵室である野菜室１０７の奥面仕切り壁１１１を挟んだ外側に霧化部１３１が出っ張らないので、風路面積に影響を与えず、風路抵抗を増加させることによる冷却量の低下を防ぐことができる。
【００７５】
また、野菜室１０７の一部に凹部があり、そこに霧化部１３１が挿入されていることにより、青果物や食品などを収納する収納量に影響することがなく、また、電極接続部材を確実に冷やすとともに、それ以外の部分については、断熱性が確保できる壁厚が確保できるのでケース内の結露を防止することができ、信頼性を向上することができる。
【００７６】
また、電極接続部材である金属ピン１３７は、ある程度の熱容量を確保できているので冷却風路からの熱伝導の応答を緩和することができるので、霧化電極１３６の温度変動を抑制することができ、また蓄冷の働きを有することになるので、霧化電極１３６の結露発生の時間を確保し、凍結も防止することができる。さらに、良熱伝導性の金属ピン１３７と断熱材を組み合わせることにより損失なく良好に冷熱を伝導することができ、さらに金属ピン１３７と霧化電極１３６の接合部の熱抵抗を抑えているので霧化電極１３６と金属ピン１３７の温度変動が良好に追従する。また、接合に関しても湿度が侵入することができないので、長期的に熱接合性が維持される。
【００７７】
また、貯蔵室が高湿環境下にあり、その湿度が金属ピン１３７に影響する可能性があるので、金属ピン１３７は耐腐食性、耐錆性の性能を持ったアルマイト処理コーティングを行っているので、さび等が発生せず、表面熱抵抗の増加が抑制され、安定した熱伝導が確保できる。
【００７８】
なお、金属ピン１３７を耐腐食性、耐錆性の金属材料で構成してもアルマイト処理と同様の作用・効果がある。
【００７９】
さらに、霧化電極１３６表面が金メッキを用いているので、霧化電極先端の放電による磨耗が抑制され、これにより、霧化電極１３６先端の形状が維持できるので、長期に噴霧することが可能となり、また、その先端の液滴形状も安定する。
【００８０】
なお、霧化電極１３６表面をニッケルメッキ、白金メッキとしても同様の作用・効果がある。
【００８１】
以上のように、本実施の形態１においては、断熱区画された貯蔵室と、前記貯蔵室内にミストを噴霧させる霧化部と、前記霧化部は、電位差を発生させる電圧印加部と、前記電圧印加部に電気的に接続された霧化電極に空気中の水分を結露させて前記貯蔵室にミストとして噴霧するものであって、前記霧化部への結露の可否を判定する結露可否判定手段と、前記結露可否判定手段の結果が結露可能ならば前記電圧印加部を動作させ、結果が結露不可ならば前記電圧印加部を停止する制御手段とを有したことにより、外気の流入や野菜などの蒸散による水分から結露水を集めることができるときのみ動作させることができ、確実に抗菌作用のあるミストの噴霧を行うことができる。
【００８２】
さらに、結露可能な時のみ動作させることとなるので、霧化部の信頼性の向上と、省エネルギーをはかることができる。
【００８３】
さらに、水道水ではなく結露水を用いるためミネラル成分や不純物がないため、保水材を用いたときの劣化や目詰まりによる保水性の劣化を防ぐことができる。
【００８４】
さらに、超音波振動による超音波霧化ではないので、水の欠損による圧電素子の破壊、その周囲部材の変形の心配がなく、また、貯水タンクが不必要であり、入力も小さいので庫内の温度影響が少ない。
【００８５】
さらに、電圧印加部が収納されている部分についても奥面仕切り壁に埋め込まれて、冷却されているので基板の温度上昇を抑えることができる。これにより、貯蔵室内の温度影響を少なくすることができると同時に基板の信頼性も向上する。
【００８６】
また、本実施の形態では貯蔵室が貯蔵室ドアを備え、前記結露可否判定手段が前記貯蔵室ドアの開閉の状態を検知する手段とし、開から閉に状態が遷移したときを結露可能としたことにより、ドアを開け暖気が流入し庫内の重量絶対湿度が上昇したときに霧化動作することとなるので、より簡便な構造で容易かつ確実に霧化電極に結露させることができ、信頼性を向上させることができる。
【００８７】
また、必要最低限の動作となるので、更なる省エネルギー、省材料をはかることができる。
【００８８】
なお、本実施の形態の結露可否判定手段を、前記貯蔵室内の湿度を検知する湿度センサとすることにより、結露の可否を細かく判定できるため、より精度よく霧化部の制御を行うことができる。
【００８９】
また、霧化電極の付着する水量を調整する調整手段と、霧化電極に接続された電極接続部材を有し、調整手段によって前記電極接続部材を冷却または加熱することで間接的に前記霧化電極の温度調整を行うとしたことにより、霧化電極を直接冷却することなく、電極接続部材を冷却することで間接的に霧化電極を零区客することができ、電極接続部材が霧化電極よりも大きな熱容量を有することで、調整手段の温度変化が霧化電極に直接大きな影響を与えることを緩和し、霧化電極の温度を調整することができ、霧化電極の負荷変動を抑え、安定した噴霧量のミスト噴霧を実現することができる。
【００９０】
また、調整手段は冷却手段と加熱手段を有することにより、容易に霧化電極の温度を調整することができ、安定した霧化を実現するための霧化電極に付着する水量を適切な範囲に調整することがより容易に行うことができる。
【００９１】
また、冷却手段が冷蔵庫の冷凍サイクルで生成された冷却源で生成された冷気であることにより、冷却手段として装置および電力を必要としないので、省材料かつ省エネルギーでのミスト噴霧を実現できる。
【００９２】
また、本実施の形態では冷却器と貯蔵室を断熱区画するための仕切り壁には、貯蔵室もしくは冷却器に冷気を搬送するための少なくとも１つの風路と、貯蔵室や他の風路と熱影響がないよう断熱された断熱材が備えられ、静電霧化装置の霧化電極の温度を可変するための手段は、熱伝導性のよい金属片であって、その金属片の温度を調節する手段は、冷却器で生成された冷気とヒータなどの加熱手段を用いて調整することにより、確実に霧化電極の温度を調整することができる。
【００９３】
なお、温度を調整する手段としてペルチェ素子を利用することで、任意のタイミングで温度を変化させることができるので、容易に霧化電極の温度調整が可能となる。さらに、ドアの開閉後に冷却を開始することで過剰結露が無くなり安定した霧化が可能となる。
【００９４】
また、本実施の形態では、各貯蔵室を冷却するための冷却器と、冷却器と貯蔵室を断熱区画するための仕切り壁を備え、静電霧化装置は仕切り壁に取り付けたことにより、貯蔵室内の間隙に設置することで収納容積を減少することがなく、また、奥面に取り付けられていることで容易に人の手に触れることができないので安全性も向上する。
【００９５】
また、本実施の形態では、静電霧化装置の霧化電極を冷却・加熱し、霧化電極先端の結露量を調整できる調整手段は、熱伝導性のよい金属片であって、その金属片を冷却・加熱する手段は、冷却器で生成された冷気が流れる風路からの熱伝導とヒータの加熱手段であるため、断熱材の壁厚とヒータ入力値を調整することで金属ピンおよび霧化電極の温度を簡単に設定することができ、また、断熱材を挟むことにより冷気の漏れがないのとヒータ等の加熱手段を備えているのでケース外郭などの着霜や結露などの信頼性低下を防止することができる。
【００９６】
また、本実施の形態では、静電霧化装置が取り付けられている奥面仕切り壁は、貯蔵室側の一部に凹部があり、そこに静電霧化装置の水量調整手段である金属片が挿入されていることにより、青果物や食品などを収納する収納量に影響することがなく、静電霧化装置を取り付けている部分以外は、断熱性が確保できる壁厚が確保できるのでケース内の結露を防止することができ、信頼性を向上することができる。
【００９７】
また、本実施の形態では、霧化部が、霧化電極と、前記霧化電極に対向する位置に配された対向電極とを備え、霧化電極と対向電極間に高圧電位差を発生させる電圧印加部を有したことにより、霧化電極近傍の電解が安定に構築できることによって微粒化現象、噴霧方向が定まり、収納容器内に噴霧する微細ミストの精度をより高めることができ、霧化部の精度を向上させることができる。
【００９８】
なお、本実施の形態では霧化電極に対向する位置に配された対向電極を備えるものとしたが、霧化部の対向する貯蔵室側に基準電位部にアースされた部分を備え、電圧印加部は霧化電極と前記保持部材との間に電位差を発生させることにより、特に対向電極を持たなくても、貯蔵室側の一部にアースされた部材を備えることで、霧化電極と電位差を発生させて、ミスト噴霧を行うことができ、より簡単な構成で安定的な電界が構成されることにより安定的に前記霧化部からミストを噴霧することができる。
【産業上の利用可能性】
【００９９】
以上のように、本発明にかかる冷蔵庫は、家庭用又は業務用冷蔵庫もしくは野菜専用庫に対して実施することはもちろん、野菜などの食品低温流通、倉庫などの用途にも適用できる。
【図面の簡単な説明】
【０１００】
【図１】本発明の実施の形態１における冷蔵庫の縦断面図
【図２】同実施の形態における冷蔵庫の野菜室近傍の正面図
【図３】同実施の形態における図２のＡ−Ａ部の静電霧化装置近傍の詳細断面図
【図４】従来の冷蔵庫の超音波霧化装置近傍の縦断面図
【符号の説明】
【０１０１】
１００  冷蔵庫
１０１  断熱箱体
１０２  外箱
１０３  内箱
１０４  冷蔵室（貯蔵室）
１０５  切換室（貯蔵室）
１０６  製氷室（貯蔵室）
１０７  野菜室（貯蔵室）
１０８  冷凍室（貯蔵室）
１０９  圧縮機
１１０  冷却室
１１１  奥面仕切り壁
１１１ａ  凹部
１１２  冷却器
１１３  冷却ファン
１１４  ラジアントヒータ
１１５  ドレンパン
１１６  ドレンチューブ
１１７  蒸発皿
１１８  扉（貯蔵室ドア）
１１９  下段収納容器
１２０  上段収納容器
１２２  蓋体
１２３  第一の仕切り壁
１２４  野菜室用吐出口
１２５  第二の仕切り壁
１２６  野菜室用吸込口
１２７  奥面仕切り壁表面
１２８  断熱材
１３０  静電霧化装置
１３１  霧化部
１３２  電圧印加部
１３３  外部ケース
１３４  噴霧口
１３５  湿度供給口
１３６  霧化電極
１３７  金属ピン
１３８  冷凍室吐出風路
１３９  対向電極
１４０  ドアスイッチ（結露可否判定手段）
１４６  制御手段
１５４  仕切り壁ヒータ
１５８  金属ピンヒータ
【図１】
0005251275.tif 000002
【図２】
0005251275.tif 000003
【図３】
0005251275.tif 000004
【図４】
0005251275.tif 000005